【手続補正書】
【提出日】平成16年6月14日(2004.6.14)
【手続補正１】
【補正対象書類名】明細書
【補正対象項目名】発明の名称
【補正方法】変更
【補正の内容】
【発明の名称】投写型画像表示システム、プロジェクタ、プログラム、情報記憶媒体および画像処理方法
【手続補正２】
【補正対象書類名】明細書
【補正対象項目名】特許請求の範囲
【補正方法】変更
【補正の内容】
【特許請求の範囲】
【請求項１】
画像表示領域におけるキャリブレーション画像のＸＹＺ値またはＲＧＢ値を測定する測定手段による測定データに基づき、画像情報を補正して前記画像表示領域に画像を投写する投写型画像表示システムにおいて、
前記キャリブレーション画像とは異なる通常画像の画像情報の入力があるかどうかを判定する判定手段と、
前記キャリブレーション画像を投写するために用いられるキャリブレーション情報を出力するキャリブレーション情報出力手段と、
前記測定データと、理想的な画像の見えを示す情報とに基づき、所定の補正用情報を更新する更新手段と、
更新された補正用情報に基づき、前記画像情報を補正する補正手段と、
前記キャリブレーション情報に基づき前記キャリブレーション画像を投写するとともに、前記補正手段によって補正された画像情報に基づき、前記通常画像を投写する投写型画像表示手段と、
を含み、
前記キャリブレーション情報出力手段は、前記キャリブレーション情報を出力していない状態で前記判定手段によって前記通常画像の画像情報の入力がないと判定された場合に、前記キャリブレーション情報の出力を開始し、前記キャリブレーション情報を出力している状態で前記判定手段によって前記通常画像の画像情報の入力があると判定された場合に、前記キャリブレーション情報の出力を停止することを特徴とする投写型画像表示システム。
【請求項２】
請求項１において、
複数種のキャリブレーション画像を用いたキャリブレーションに関する履歴を記憶する履歴記憶手段を含み、
前記キャリブレーション情報出力手段は、前記履歴に基づき、前記複数種のキャリブレーション画像のキャリブレーションが完了する前に前記キャリブレーション情報の出力を停止した場合には、次回のキャリブレーション時に前記複数種のキャリブレーション画像のうちキャリブレーション時点が最も古いキャリブレーション画像のキャリブレーション情報を出力することを特徴とする投写型画像表示システム。
【請求項３】
請求項２において、
前記キャリブレーション情報出力手段は、所定の状況で前記複数種のキャリブレーション画像の表示順序が変更されるように前記キャリブレーション情報を出力することを特徴とする投写型画像表示システム。
【請求項４】
請求項１において、
色補正用キャリブレーション画像と明るさ補正用キャリブレーション画像を用いたキャリブレーションに関する履歴を記憶する履歴記憶手段を含み、
前記キャリブレーション情報出力手段は、前記履歴に基づき、前記色補正用キャリブレーション画像と前記明るさ補正用キャリブレーション画像の両方のキャリブレーションが完了する前に前記キャリブレーション情報の出力を停止した場合には、次回のキャリブレーション時に前記色補正用キャリブレーション画像と前記明るさ補正用キャリブレーション画像のうちキャリブレーション時点が古い方のキャリブレーション画像のキャリブレーション情報を出力することを特徴とする投写型画像表示システム。
【請求項５】
請求項４において、
前記色補正用キャリブレーション画像の測定データに基づくＸＹＺ値と、前記理想的な画像の見えを示す情報とに基づき、前記画像の色を補正するために用いられる色補正用情報を更新する色補正用情報更新手段と、
前記明るさ補正用キャリブレーション画像の測定データに基づく輝度値と、前記理想的な画像の見えを示す情報とに基づき、前記画像の明るさを補正するために用いられる明るさ補正用情報を更新する明るさ補正用情報更新手段と、
を含み、
前記補正手段は、前記色補正用情報に基づき、前記画像情報を補正するとともに、当該補正後の画像情報を、前記明るさ補正用情報に基づき補正し、
前記投写型画像表示手段は、前記補正後の画像情報に基づき、前記画像を投写することを特徴とする投写型画像表示システム。
【請求項６】
請求項１〜５のいずれかにおいて、
前記画像情報は、ＲＧＢ信号と同期信号とを含み、
前記判定手段は、前記同期信号に基づき、前記画像情報の入力の有無を判定することを特徴とする投写型画像表示システム。
【請求項７】
画像表示領域におけるキャリブレーション画像のＸＹＺ値またはＲＧＢ値を測定する測定手段による測定データに基づき、画像情報を補正して前記画像表示領域に画像を投写するプロジェクタにおいて、
前記キャリブレーション画像とは異なる通常画像の画像情報の入力があるかどうかを判定する判定手段と、
前記キャリブレーション画像を投写するために用いられるキャリブレーション情報を出力するキャリブレーション情報出力手段と、
前記測定データと、理想的な画像の見えを示す情報とに基づき、所定の補正用情報を更新する更新手段と、
更新された補正用情報に基づき、前記画像情報を補正する補正手段と、
前記キャリブレーション情報に基づき前記キャリブレーション画像を投写するとともに、前記補正手段によって補正された画像情報に基づき、前記通常画像を投写する投写型画像表示手段と、
を含み、
前記キャリブレーション情報出力手段は、前記キャリブレーション情報を出力していない状態で前記判定手段によって前記通常画像の画像情報の入力がないと判定された場合に、前記キャリブレーション情報の出力を開始し、前記キャリブレーション情報を出力している状態で前記判定手段によって前記通常画像の画像情報の入力があると判定された場合に、前記キャリブレーション情報の出力を停止することを特徴とするプロジェクタ。
【請求項８】
画像表示領域におけるキャリブレーション画像のＸＹＺ値またはＲＧＢ値を測定する測定手段による測定データに基づき、画像情報を補正して前記画像表示領域に画像を投写するためのコンピュータ読み取り可能なプログラムであって、
コンピュータを、
前記キャリブレーション画像とは異なる通常画像の画像情報の入力があるかどうかを判定する判定手段と、
前記キャリブレーション画像を投写するために用いられるキャリブレーション情報を出力するキャリブレーション情報出力手段と、
前記測定データと、理想的な画像の見えを示す情報とに基づき、所定の補正用情報を更新する更新手段と、
更新された補正用情報に基づき、前記画像情報を補正する補正手段と、
前記キャリブレーション情報に基づき前記キャリブレーション画像を投写するとともに、前記補正手段によって補正された画像情報に基づき、前記通常画像を投写する投写型画像表示手段に表示させる表示制御手段として機能させ、
前記キャリブレーション情報出力手段は、前記キャリブレーション情報を出力していない状態で前記判定手段によって前記通常画像の画像情報の入力がないと判定された場合に、前記キャリブレーション情報の出力を開始し、前記キャリブレーション情報を出力している状態で前記判定手段によって前記通常画像の画像情報の入力があると判定された場合に、前記キャリブレーション情報の出力を停止することを特徴とするプログラム。
【請求項９】
コンピュータにより読み取り可能な情報記憶媒体であって、
請求項８に記載のプログラムを記憶したことを特徴とする情報記憶媒体。
【請求項１０】
画像情報を補正して画像を投写する画像処理方法であって、
前記画像は、前記画像情報の補正用のキャリブレーション画像と、当該キャリブレーション画像とは異なる通常画像とを含み、
前記通常画像の画像情報が入力されていない状態で画像表示領域にキャリブレーション画像を投写し、
投写したキャリブレーション画像のＸＹＺ値またはＲＧＢ値を測定し、
測定した測定データに基づくＸＹＺ値に基づき、前記画像情報の色を補正するための色補正用情報を更新し、
測定した測定データに基づく輝度値に基づき、前記画像情報の明るさを補正するための明るさ補正用情報を更新し、
前記通常画像の画像情報が入力されている状態で、前記色補正用情報に基づき前記画像情報を補正するとともに当該補正後の画像情報を前記明るさ補正用情報に基づき補正し、
補正後の画像情報に基づき前記通常画像を投写することを特徴とする画像処理方法。
【手続補正３】
【補正対象書類名】明細書
【補正対象項目名】０００１
【補正方法】変更
【補正の内容】
【０００１】
【発明の属する技術分野】
本発明は、環境光の影響と投影面を考慮して画像のキャリブレーションを実行する投写型画像表示システム、プロジェクタ、プログラム、情報記憶媒体および画像処理方法に関する。
【手続補正４】
【補正対象書類名】明細書
【補正対象項目名】００１５
【補正方法】変更
【補正の内容】
【００１５】
本発明は、上記の課題に鑑みなされたものであり、その目的は、環境光の影響を考慮して画像のキャリブレーションを実行する場合に、キャリブレーションによって画像の観察者に与える不快感を低減することが可能な投写型画像表示システム、プロジェクタ、プログラム、情報記憶媒体および画像処理方法を提供することにある。